(57)【要約】【課題】ダッシュボードのいずれの曲面にも追随させて曲面を形成することができる車載用ディスプレイスタンドを提供すること。【解決手段】本発明の車載用ディスプレイスタンドは、表示モニター１をスタンドベース２によってダッシュボード５に保持し、スタンドベース２を、表示モニター１の脚部１ｂを保持する剛性面部１０と、剛性面部１０の外周に配置される可撓性面部２０とから構成し、可撓性面部２０が、剛性面部１０から外方向に延出させた複数の第１の可撓性面部２１と、第１の可撓性面部２１よりも更に外周に配置される複数の第２の可撓性面部２２とからなり、いずれか一つの第２の可撓性面部２２を、いずれか一つの第１の可撓性面部２１で剛性面部１０に連接したことを特徴とする。【選択図】        図１
2013184686.tif 000002
【特許請求の範囲】
【請求項１】
表示モニターをスタンドベースによってダッシュボードに保持する車載用ディスプレイスタンドであって、前記スタンドベースを、前記表示モニターの脚部を保持する剛性面部と、前記剛性面部の外周に配置される可撓性面部とから構成し、前記可撓性面部が、前記剛性面部から外方向に延出させた複数の第１の可撓性面部と、前記第１の可撓性面部よりも更に外周に配置される複数の第２の可撓性面部とからなり、いずれか一つの前記第２の可撓性面部を、いずれか一つの前記第１の可撓性面部で前記剛性面部に連接したことを特徴とする車載用ディスプレイスタンド。
【請求項２】
前記第１の可撓性面部を、延出方向となる第１長手寸法が、延出方向と直交する方向となる第１幅寸法より大きくしたことを特徴とする請求項１に記載の車載用ディスプレイスタンド。
【請求項３】
前記第２の可撓性面部を、前記第１の可撓性面部の延出方向となる第２幅寸法が、前記第１の可撓性面部の延出方向と直交する方向となる第２長手寸法より小さくしたことを特徴とする請求項２に記載の車載用ディスプレイスタンド。
【請求項４】
前記第１の可撓性面部と前記第２の可撓性面部とで、Ｔ字形状としたことを特徴とする請求項３に記載の車載用ディスプレイスタンド。
【請求項５】
前記第１の可撓性面部と前記第２の可撓性面部とで、Ｌ字形状としたことを特徴とする請求項３又は請求項４に記載の車載用ディスプレイスタンド。
【請求項６】
前記剛性面部を、平面視で略四角形状とし、前記第１の可撓性面部を、前記剛性面部の４辺全てに形成したことを特徴とする請求項１から請求項５のいずれかに記載の車載用ディスプレイスタンド。
【請求項７】
前記第１の可撓性面部を、前記剛性面部の４つの角全てに形成したことを特徴とする請求項６に記載の車載用ディスプレイスタンド。
【請求項８】
それぞれの前記第２の可撓性面部の外縁を結ぶ仮想外縁線を、四角形としたことを特徴とする請求項６又は請求項７に記載の車載用ディスプレイスタンド。
【請求項９】
前記第１の可撓性面部と前記第２の可撓性面部とを、前記ダッシュボードへの接着面としたことを特徴とする請求項１から請求項８のいずれかに記載の車載用ディスプレイスタンド。
【発明の詳細な説明】
【技術分野】
【０００１】
本発明は、表示モニターをダッシュボードに保持する車載用ディスプレイスタンドに関する。
【背景技術】
【０００２】
湾曲しているダッシュボード上にも安定状態を保って取り付けできる車載用ディスプレイスタンドが提案されている（特許文献１）。
特許文献１では、車両のダッシュボード上に固定される取付プレートを有し、この取付プレートは、表示装置の取付部が着脱可能に固定される取付ブラケットを左右に有し、取付ブラケットの間には剛性部分であるリブが形成され、取付ブラケットの周囲には開口穴およびスリットにより可撓性部分が形成されている。
【先行技術文献】
【特許文献】
【０００３】
【特許文献１】特開２００６−４４５５７号公報
【発明の概要】
【発明が解決しようとする課題】
【０００４】
特許文献１では、取付ブラケットの周囲に、開口穴およびスリットにより可撓性部分が形成されているが、可撓性部分は両端で取付ブラケットに連接されているため、一方向に対しての曲面には追随して曲げることができるが、直交する方向へは十分に曲げることができない。
【０００５】
本発明は、ダッシュボードのいずれの曲面にも追随させて曲面を形成することができる車載用ディスプレイスタンドを提供することを目的とする。
【課題を解決するための手段】
【０００６】
請求項１記載の本発明の車載用ディスプレイスタンドは、表示モニターをスタンドベースによってダッシュボードに保持する車載用ディスプレイスタンドであって、前記スタンドベースを、前記表示モニターの脚部を保持する剛性面部と、前記剛性面部の外周に配置される可撓性面部とから構成し、前記可撓性面部が、前記剛性面部から外方向に延出させた複数の第１の可撓性面部と、前記第１の可撓性面部よりも更に外周に配置される複数の第２の可撓性面部とからなり、いずれか一つの前記第２の可撓性面部を、いずれか一つの前記第１の可撓性面部で前記剛性面部に連接したことを特徴とする。
請求項２記載の本発明は、請求項１に記載の車載用ディスプレイスタンドは、前記第１の可撓性面部を、延出方向となる第１長手寸法が、延出方向と直交する方向となる第１幅寸法より大きくしたことを特徴とする。
請求項３記載の本発明は、請求項２に記載の車載用ディスプレイスタンドは、前記第２の可撓性面部を、前記第１の可撓性面部の延出方向となる第２幅寸法が、前記第１の可撓性面部の延出方向と直交する方向となる第２長手寸法より小さくしたことを特徴とする。
請求項４記載の本発明は、請求項３に記載の車載用ディスプレイスタンドは、前記第１の可撓性面部と前記第２の可撓性面部とで、Ｔ字形状としたことを特徴とする。
請求項５記載の本発明は、請求項３又は請求項４に記載の車載用ディスプレイスタンドは、前記第１の可撓性面部と前記第２の可撓性面部とで、Ｌ字形状としたことを特徴とする。
請求項６記載の本発明は、請求項１から請求項５のいずれかに記載の車載用ディスプレイスタンドは、前記剛性面部を、平面視で略四角形状とし、前記第１の可撓性面部を、前記剛性面部の４辺全てに形成したことを特徴とする。
請求項７記載の本発明は、請求項６に記載の車載用ディスプレイスタンドは、前記第１の可撓性面部を、前記剛性面部の４つの角全てに形成したことを特徴とする。
請求項８記載の本発明は、請求項６又は請求項７に記載の車載用ディスプレイスタンドは、それぞれの前記第２の可撓性面部の外縁を結ぶ仮想外縁線を、四角形としたことを特徴とする。
請求項９記載の本発明は、請求項１から請求項８のいずれかに記載の車載用ディスプレイスタンドは、前記第１の可撓性面部と前記第２の可撓性面部とを、前記ダッシュボードへの接着面としたことを特徴とする。
【発明の効果】
【０００７】
本発明によれば、第１の可撓性面部及び第２の可撓性面部は、それぞれが可撓性を十分に発揮でき、ダッシュボードの曲面に追随させて曲面を形成することができる。
【図面の簡単な説明】
【０００８】
【図１】本発明の一実施例による車載用ディスプレイスタンドの分解斜視図
【図２】同車載用ディスプレイスタンドのスタンドベースを示す斜視図
【図３】同スタンドベースの要部斜視図
【図４】同車載用ディスプレイスタンドの設置状態を示す概略構成図
【図５】図４の要部拡大図
【発明を実施するための形態】
【０００９】
本発明の第１の実施の形態による車載用ディスプレイスタンドは、スタンドベースを、表示モニターの脚部を保持する剛性面部と、剛性面部の外周に配置される可撓性面部とから構成し、可撓性面部が、剛性面部から外方向に延出させた複数の第１の可撓性面部と、第１の可撓性面部よりも更に外周に配置される複数の第２の可撓性面部とからなり、いずれか一つの第２の可撓性面部を、いずれか一つの第１の可撓性面部で剛性面部に連接したものである。本実施の形態によれば、いずれか一つの第２の可撓性面部を、いずれか一つの第１の可撓性面部で剛性面部に連接しているので、第１の可撓性面部及び第２の可撓性面部は、それぞれが可撓性を十分に発揮でき、ダッシュボードの曲面に追随させて曲面を形成することができる。
【００１０】
本発明の第２の実施の形態は、第１の実施の形態による車載用ディスプレイスタンドにおいて、第１の可撓性面部を、延出方向となる第１長手寸法が、延出方向と直交する方向となる第１幅寸法より大きくしたものである。本実施の形態によれば、第１の可撓性面部は、可撓性を十分に発揮でき、ダッシュボードの曲面に追随させて曲面を形成することができる。
【００１１】
本発明の第３の実施の形態は、第２の実施の形態による車載用ディスプレイスタンドにおいて、第２の可撓性面部を、第１の可撓性面部の延出方向となる第２幅寸法が、第１の可撓性面部の延出方向と直交する方向となる第２長手寸法より小さくしたものである。本実施の形態によれば、第２の可撓性面部は、可撓性を十分に発揮でき、ダッシュボードの曲面に追随させて曲面を形成することができる。
【００１２】
本発明の第４の実施の形態は、第３の実施の形態による車載用ディスプレイスタンドにおいて、第１の可撓性面部と第２の可撓性面部とで、Ｔ字形状としたものである。本実施の形態によれば、第１の可撓性面部の可撓性に第２の可撓性面部が影響しにくく、また第２の可撓性面部の可撓性に第１の可撓性面部が影響しにくく、特に第２の可撓性面部の長手方向寸法を長く構成できる場合には、第２の可撓性面部の保持力を第１の可撓性面部に有効に作用させることができる。
【００１３】
本発明の第５の実施の形態は、第３又は第４の実施の形態による車載用ディスプレイスタンドにおいて、第１の可撓性面部と第２の可撓性面部とで、Ｌ字形状としたものである。本実施の形態によれば、第１の可撓性面部の可撓性に第２の可撓性面部が影響しにくく、また第２の可撓性面部の可撓性に第１の可撓性面部が影響しにくく、特に第２の可撓性面部の長手方向寸法を短く構成した場合での第２の可撓性面部の可撓性を高めることができる。
【００１４】
本発明の第６の実施の形態は、第１から第５の実施の形態による車載用ディスプレイスタンドにおいて、剛性面部を、平面視で略四角形状とし、第１の可撓性面部を、剛性面部の４辺全てに形成したものである。本実施の形態によれば、ダッシュボードが前後方向及び左右方向いずれにも湾曲している場合にも可撓性面部を十分に追随させることができ、安定した固定を行うことができる。
【００１５】
本発明の第７の実施の形態は、第６の実施の形態による車載用ディスプレイスタンドにおいて、第１の可撓性面部を、剛性面部の４つの角全てに形成したものである。本実施の形態によれば、全周にわたって可撓性面部を十分に追随させることができ、安定した固定を行うことができる。
【００１６】
本発明の第８の実施の形態は、第６又は第７の実施の形態による車載用ディスプレイスタンドにおいて、それぞれの第２の可撓性面部の外縁を結ぶ仮想外縁線を、四角形としたものである。本実施の形態によれば、最外周範囲が四角形の範囲から突出することがないため、見栄えが良いだけでなく、収納性や取扱性でも優れている。
【００１７】
本発明の第９の実施の形態は、第１から第８の実施の形態による車載用ディスプレイスタンドにおいて、第１の可撓性面部と第２の可撓性面部とを、ダッシュボードへの接着面としたものである。本実施の形態によれば、追随性が高く接着性能がよいため、粘着力を弱めても十分に安定した固定が行えるため、取り外し時にダッシュボードを傷めることを少なくすることができる。
【実施例】
【００１８】
以下本発明の一実施例による車載用ディスプレイスタンドについて説明する。
図１は本実施例による車載用ディスプレイスタンドの分解斜視図、図２は同車載用ディスプレイスタンドのスタンドベースを示す斜視図、図３は同スタンドベースの要部斜視図、図４は同車載用ディスプレイスタンドの設置状態を示す概略構成図、図５は図４の要部拡大図である。
【００１９】
図１に示すように、本実施例による車載用ディスプレイスタンドは、表示モニター１を保持するスタンドベース２と、スタンドベース２を覆うカバー部材３と、スタンドベース２をダッシュボードに貼り付ける接着部材４とを備えている。
表示モニター１は、表示画面であるモニター部１ａと、モニター部１ａを支持する脚部１ｂとを備えている。本実施例では、モニター部１ａの表示面が脚部１ｂ上面に対向するようにモニター部１ａが回動して収納される開閉型の表示モニター１を示している。
スタンドベース２は、表示モニター１の脚部１ｂを保持する剛性面部１０と、剛性面部１０の外周に配置される可撓性面部２０とから構成される。
カバー部材３は、脚部１ｂの周囲であって、可撓性面部２０の上部に配置される。カバー部材３には、エラストマー樹脂からなるゴムカバーが適しており、製造時にスタンドベース２と一体成型されていることが好ましい。
接着部材４は、一方の面に可撓性面部２０を接着し、他方の面でダッシュボードなどの載置面に接着する。接着部材４は、ゲル材などの弾性材から構成されることが好ましい。
【００２０】
図２を用いてスタンドベース２について説明する。
剛性面部１０は、平面視で略四角形状に形成されている。剛性面部１０は、絞り加工によって外周部に立ち上げ部１１を構成することで剛性を持たせている。剛性面部１０には、係合部１２が形成され、この係合部１２によって表示モニター１の脚部１ｂを着脱可能にしている。
可撓性面部２０は、剛性面部１０の外周部から外方向に延出させた複数の第１の可撓性面部２１と、第１の可撓性面部２１よりも更に外周に配置される複数の第２の可撓性面部２２とから構成される。
剛性面部１０及び可撓性面部２０は、同一材料で打ち抜きによって形成される。
いずれか一つの第２の可撓性面部２２は、いずれか一つの第１の可撓性面部２１で剛性面部１０に連接している。
【００２１】
第１の可撓性面部２１は、延出方向となる第１長手寸法２１Ｄが、延出方向と直交する方向となる第１幅寸法２１Ｗより大きくしている。
また、第２の可撓性面部２２は、第１の可撓性面部２１の延出方向となる第２幅寸法２２Ｗが、第１の可撓性面部２１の延出方向と直交する方向となる第２長手寸法２２Ｄより小さくしている。
第１の可撓性面部２１は、剛性面部１０の４辺全てに形成している。剛性面部１０のそれぞれの辺の中央部に形成した第１の可撓性面部２１Ｔと、この第１の可撓性面部２１Ｔに連接して形成した第２の可撓性面部２２Ｔとで、Ｔ字形状の可撓性面部２０Ｔが構成される。
また、第１の可撓性面部２１は、剛性面部１０の４つの角全てに形成している。剛性面部１０のそれぞれの角に形成した第１の可撓性面部２１Ｌと、この第１の可撓性面部２１Ｌに連接して形成した第２の可撓性面部２２Ｌとで、Ｌ字形状の可撓性面部２０Ｌが構成される。
【００２２】
剛性面部１０の２つの角には、変形Ｌ字形状の可撓性面部２０Ｍを形成している。変形Ｌ字形状の可撓性面部２０Ｍは、剛性面部１０のそれぞれの角に形成した第１の可撓性面部２１Ｍと、この第１の可撓性面部２１Ｍに連接して形成した第２の可撓性面部２２Ｍとで構成されている。第２の可撓性面部２２Ｍは、端部に拡大部２３が形成され、この拡大部２３に安全鎖やビスをとめる開口部を形成している。
それぞれの第２の可撓性面部２２の外縁を結ぶ仮想外縁線Ｒは、四角形を形成し、剛性面部１０の外周辺から等距離としている。
【００２３】
図３では、可撓性面部２０の可撓性による変形状態の一例を示している。
第１の可撓性面部２１は、延出方向となる第１長手寸法２１Ｄが、延出方向と直交する方向となる第１幅寸法２１Ｗより大きくしているため、長手方向への曲面に追随させて変形することができる。
また、第２の可撓性面部２２は、いずれか一つの第１の可撓性面部２１で連接し、第１の可撓性面部２１の延出方向となる第２幅寸法２２Ｗが、第１の可撓性面部２１の延出方向と直交する方向となる第２長手寸法２２Ｄより小さくしているため、長手方向への曲面に追随させて変形することができる。
また、Ｔ字形状の可撓性面部２０Ｔとすることで、第２の可撓性面部２２の保持力を第１の可撓性面部２１に有効に作用させることができる。
【００２４】
図４では、本実施例による車載用ディスプレイスタンドのダッシュボード５への載置状態を示し、図５では可撓性面部２０を示している。
図示のように、第１の可撓性面部２１及び第２の可撓性面部２２をダッシュボード５の曲面に追随させて載置することができる。
【００２５】
以上のように、本実施例によれば、第２の可撓性面部２２を、いずれか一つの第１の可撓性面部２１で剛性面部１０に連接しているので、第１の可撓性面部２１及び第２の可撓性面部２２は、それぞれが可撓性を十分に発揮でき、ダッシュボード５の曲面に追随させて曲面を形成することができる。
また本実施例では、第１の可撓性面部２１を、第１長手寸法２１Ｄが第１幅寸法２１Ｗより大きくしているので、第１の可撓性面部２１は、可撓性を十分に発揮でき、ダッシュボード５の曲面に追随させて曲面を形成することができる。
また本実施例では、第２の可撓性面部２２を、第２長手寸法２２Ｄが第２幅寸法２２Ｗより大きくしているので、第２の可撓性面部２２は、可撓性を十分に発揮でき、ダッシュボード５の曲面に追随させて曲面を形成することができる。
また本実施例では、Ｔ字形状の可撓性面部２０Ｔとしたことで、第１の可撓性面部２１の可撓性に第２の可撓性面部２２が影響しにくく、また第２の可撓性面部２２の可撓性に第１の可撓性面部２１が影響しにくく、特に第２の可撓性面部２２の長手方向寸法を長く構成できる場合には、第２の可撓性面部２２の保持力を第１の可撓性面部２１に有効に作用させることができる。
また本実施例では、Ｌ字形状の可撓性面部２０Ｌとしたことで、第１の可撓性面部２１の可撓性に第２の可撓性面部２２が影響しにくく、また第２の可撓性面部２２の可撓性に第１の可撓性面部２１が影響しにくく、特に第２の可撓性面部２２の長手方向寸法を短く構成した場合での第２の可撓性面部２２の可撓性を高めることができる。
また本実施例では、剛性面部１０を、平面視で略四角形状とし、第１の可撓性面部２１を、剛性面部１０の４辺全てに形成したことで、ダッシュボード５が前後方向及び左右方向いずれにも湾曲している場合にも可撓性面部２０を十分に追随させることができ、安定した固定を行うことができる。
また、本実施例では、第１の可撓性面部２１を、剛性面部１０の４つの角全てに形成したことで、全周にわたって可撓性面部２０を十分に追随させることができ、安定した固定を行うことができる。
また、本実施例では、仮想外縁線Ｒを、四角形とし、第２の可撓性面部２２の最外周範囲が四角形の範囲から突出することがないため、見栄えが良いだけでなく、収納性や取扱性でも優れている。
また、本実施例では、第１の可撓性面部２１と第２の可撓性面部２２とを、ダッシュボード５への接着面としたことで、追随性が高く接着性能がよいため、粘着力を弱めても十分に安定した固定が行えるため、取り外し時にダッシュボード５を傷めることを少なくすることができる。
【産業上の利用可能性】
【００２６】
本発明は、特に載置面が平坦でなく、振動を受ける車載用として優れているが、船舶その他の移動体、又は家屋でも用いることができる。
【符号の説明】
【００２７】
１    表示モニター
２    スタンドベース
３    カバー部材
４    接着部材
１０    剛性面部
２０    可撓性面部
２１    第１の可撓性面部
２１Ｄ  第１長手寸法
２１Ｗ  第１幅寸法
２１Ｔ  Ｔ字形状の第１の可撓性面部
２１Ｌ  Ｌ字形状の第１の可撓性面部
２２    第２の可撓性面部
２２Ｄ  第２長手寸法
２２Ｗ  第２幅寸法
２２Ｔ  Ｔ字形状の第２の可撓性面部
２２Ｌ  Ｌ字形状の第２の可撓性面部
【図１】
2013184686.tif 000003
【図２】
2013184686.tif 000004
【図３】
2013184686.tif 000005
【図４】
2013184686.tif 000006
【図５】
2013184686.tif 000007